(57)【要約】【課題】電子番組表で番組情報を表示する場合、制限された表示領域内で最大限の番組情報をユーザに提供する。【解決手段】所定時間帯内で複数の番組情報を表示する電子番組表に於いて、番組情報の文字数に応じて番組情報表示領域を変化させる。【選択図】        図２
2004266374.tif 000002
【特許請求の範囲】
【請求項１】
映像情報を記録する映像記録装置に於いて、
番組情報を受信する情報入力手段と、
上記番組情報に基づいて録画予約する録画予約手段と、
上記番組情報を表示する表示手段とを、
具備し、
上記番組情報を上記表示手段に表示するための表示幅を該番組情報の文字数に応じて変化させて表示するように成したことを特徴とする映像記録装置。
【請求項２】
前記番組情報が所定時間内で複数の番組数に分けられている場合、前記表示幅を等分に分割した数を該複数の番組数で除した割り当て幅内に該複数の番組情報毎のタイトル文字数を入力し、該割り当て幅内で余った表示幅の該分割した数を余らなかった割り当て幅側に割り当てるように成したことを特徴とする請求項１記載の映像記録装置。
【請求項３】
前記表示手段を前記映像記録装置と１体あるいは外付けするように成したことを特徴とする請求項１又は請求項２記載の映像記録装置。
【請求項４】
前記映像記録装置内に前記情報入力手段を介してインターネット上のサーバーと交信可能なブラウザを処理するコンピュータを有することを特徴とする請求項１乃至請求項３記載のいずれか１項記載の映像記録装置。
【請求項５】
複数の番組情報提供者からの番組情報をインターネットを介してクライアントに提供するサーバーに於いて、
上記番組情報の表示幅を該番組情報の文字数に応じて変化させるように成したことを特徴とするサーバー。
【請求項６】
前記番組情報が所定時間内で複数の番組数に分けられている場合、前記表示幅を等分に分割した数を該複数の番組数で除した割り当て幅内に該複数の番組情報毎のタイトル文字数を入力し、該割り当て幅内で余った表示幅の該分割した数を余らなかった割り当て幅側に割り当てるように番組情報を生成することを特徴とする請求項５記載のサーバー。
【請求項７】
前記サーバー内には前記番組情報提供者からの前記番組情報に基づいて、該番組情報提供者毎に、該番組情報の文字数に応じてタイトル文字数を変化させて番組表を生成するコンピュータを有することを特徴とする請求項５又は請求項６記載のサーバー。
【請求項８】
複数の番組情報提供者からの番組情報をインターネットを介して収集し番組表を生成するサーバーと、
上記サーバーで生成した上記番組表を上記インターネットを介してクライアント側へ送受信可能と成した映像記録装置と、
上記映像記録装置に設けた表示手段とを具備し、
上記サーバーで生成し、上記表示手段で表示する上記番組表の表示幅を上記番組情報の文字数に応じて変化させるように成したことを特徴とする番組情報伝送方式。
【請求項９】
サーバー側で番組情報の表示幅を該番組情報の文字数に応じて変化させるように生成した番組表をインターネット上でブラウザを介して映像記録装置に取り込み、該映像記録装置に設けた表示手段の画面に表示させ、該画面上の上記番組情報に基づいて操作手段により録画予約する様に成したことを特徴とする番組情報表示方法。
【発明の詳細な説明】
【０００１】
【発明の属する技術分野】
本発明は、電子番組表内に書き込まれる番組のタイトル文字等の番組情報を限られた画面スペース上に有効に表示できるようにした映像記録装置及びサーバー並びに番組情報伝送方式と番組情報表示方法に関する。
【０００２】
【従来の技術】
従来から、文字多重方式のテレビ放送では映像信号に番組予定表を多重して放送し、文字多重デコーダを搭載したテレビ受信機の画面に表示したり、デジタル衛星放送では所定のチャンネルに放送番組予定表の情報を放送するようにしたものが知られている。
【０００３】
上述した電子番組予定表の表示方法は放送予定時間をベースに表示を行なっている。
【０００４】
即ち、図５（Ａ）は電子番組予定表の１例を示すものであり、表示装置の画面５０上には番組予定表５１が表示されている。この番組予定表５１に於いて、縦方向は各放送局（チャンネル、ＣＨ）を示し、横方向は放送予定時間を表している。
【０００５】
例えば、ＡＢＣ局の１８：００−１８：３０までは番組Ａ、１８：３０−１８：５０までは番組Ｂ、１８：５０−１９：００までは番組Ｃ、１９：００−１９：２０までは番組Ｄを示し、番組Ａ：番組Ｂ：番組Ｃ：番組Ｄ＝３０：２０：１０：２０＝３：２：１：２となり、１８：００−１９：２０までの番組を３：２：１：２の長さで表示するようになされている。
【０００６】
上述の如き番組タイトルやカテゴリの表示方法は特許文献１に開示されている。
【０００７】
【特許文献１】
特開平８−１０２９２２（図５）
【０００８】
【発明が解決しようとする課題】
上述の特許文献１に示されたように放映時間長をベースに番組タイトル等を記入すると、例えば、図５（Ｂ）に示すように放映時間長が長くてもタイトル名の文字数が少なく、１８：００−１８：３０の間で６文字分の全スペース５２に対して、番組タイトルが「ニュース」のように４文字分だけとすれば２文字分の余りスペース５３を発生し、次のドラマとの間に大きなスペースを生ずることになる。
【０００９】
更に、図５（Ｃ）のように、放映時間長に比べてタイトル名の文字数が多くなる場合は１８：２０−１９：００の間で８文字分の全スペース５２に対して、番組タイトルが「ドラマ・都会の叫び」のように９文字あるとすれば１文字の不足スペース５４を発生して、最後の「び」は削られて表示されてしまう課題を有していた。
【００１０】
本発明は上述の課題を解消するためになされたもので、表示手段に表示する番組予定表のタイトル文字数をベースに記入することで番組タイトルとその内容そのものをユーザに知らせることが可能な映像記録装置及びサーバー並びに番組情報伝送方式と番組情報表示方法を提供することを目的とするものである。
【００１１】
【課題を解決するための手段】
本発明は、電子番組予定表に表示する番組カテゴリや番組タイトル等の番組情報をタイトル文字数をベースに表示させるように成した映像記録装置及びサーバー並びに番組情報伝送方式と番組情報表示方法としたものである。
【００１２】
また本発明は、番組情報を表示手段に表示するための表示幅を番組情報の文字数に応じて変化させて表示するように成した映像信号記録装置及びサーバー並びに番組情報伝送方式と番組情報表示方法としたものである。
【００１３】
更に、本発明は、番組情報が所定時間内で複数の番組数に分けられている場合、表示幅を等分に分割した数を複数の番組数で除した割り当て幅内に複数の番組情報毎のタイトル文字数を入力し、割り当て幅内で余った表示幅の分割した数を余らなかった割り当て幅側に割り当てるように成した映像記録装置及びサーバー並びに番組情報伝送方式と番組情報表示方法と成したものである。
【００１４】
斯かる、本発明に依れば電子番組表上に各番組情報の内容を表す番組タイトル名を全体として最大限表示可能となり、ユーザにとって各番組タイトルの内容を認識できる番組が増えたため、ユーザが探したい番組を素早く見つけることができる。
【００１５】
【発明の実施の形態】
以下、本発明の１形態例を示す映像記録装置及びサーバー並びに番組情報伝送方式と番組情報表示方法を図１乃至図４によって詳記する。
【００１６】
図１は本発明の全体的な系統図を示すものである。図１に於いて、１はビデオテープレコーダ（ＶＴＲ）、ビデオディスクレコーダ（ＶＤＲ）、ハードディスク装置（ＨＤＤ）、ＤＶＤレコーダ、テレビ受像機と１体化されたレコーダ、半導体メモリを用いたレコーダ等の映像記録装置（映像記録再生装置を含む）である。
【００１７】
この映像記録装置１内にはＶＴＲ、ＶＤＲ、ＨＤＤ、ＤＶＤ等ではテープ或はディスクからなる記録媒体２を駆動する駆動機構を有する。半導体メモリ等の記録媒体２では駆動機構は不用である。
【００１８】
記録媒体２に記録或は記録媒体２から再生された映像情報は出力端子Ｔ１を介してＴＶ受像機８に出力され、ＴＶ受信機８のＣＲＴ、ＬＣＤ等の表示装置９に映像情報や文字情報を映出させる。勿論表示装置９は映像記録装置１内に１体化して配設させるようにしてもよい。
【００１９】
３はマイクロコンピュータ（以下ＣＰＵと記す）であり、ワーク用のＲＯＭ６やＲＡＭ７を有し、操作キーやマウス等から成る操作部５を有する。Ｔ２はインターネット１０との接続が可能な接続端子であり、４はインターネット１０との交信が可能な情報入力手段を構成するＩ／Ｆである。
【００２０】
ＣＰＵ３はワーク用として説明したが、このＣＰＵ３はサーバーシステム１１内のデータを見に行きデータを得て、番組予定表を閲覧可能なブラウザを持たせる様にしてもよい。勿論ワーク用のＣＰＵ３を持たない映像記録装置１ではサーバーシステム１１との交信可能なブラウザを設ければよい。
【００２１】
サーバーシステム１１は放送局（Ａ）、（Ｂ）、（Ｃ）等から成る番組情報提供者（Ａ）、（Ｂ）、（Ｃ）、１５、１６、１７からの電子番組情報、例えば番組開始時間、終了時間、番組タイトル、サブタイトル、番組のカテゴリ（例えば、映画、ドラマ等）、出演者名、番組の概要等をインターネット１０を介して入力端子Ｔ４から受信し、サーバーシステム１１内では電子番組情報をＨＴＭＬ（Ｈｙｐｅｒ  Ｔｅｘｔ  Ｍａｒｋｕｐ  Ｌａｎｇｕａｇｅ）等の言語やタグを用いてＨＴＭＬ文章や図表等をＣＰＵ１２、ＲＯＭ、ＲＡＭ等のメモリ１４、操作部１３等でウェブデータを作成し、サーバーシステム１１側にこれらデータを持たせる様にする。
【００２２】
映像記録装置１の端子Ｔ２とサーバーシステム１１の端子Ｔ３間でインターネット１０を介して電子番組情報の交信が行なわれ、映像記録装置１のクライアント側からウェブページを開くことが出来る様になされている。
【００２３】
映像記録装置１側では操作部５の番組表閲覧キー等を押圧することで、サーバーシステム１１との間で電子番組情報３０が図３（Ａ）に示す様に、表示装置９の画面３１に表示される。
【００２４】
図３（Ａ）は電子番組情報を文字数をベースに画面３１に表示させたイメージ図を示すものであり、ユーザは表示手段９の画面３１上の好みの番組タイトルの例えばＢ放送局の「シネマスペシャル  ワールドアドベンチャーパート２」の項をクリック或は指示することで、図３（Ｂ）に示す様な「シネマスペシャル」の詳細内容が説明された詳細情報３２と録画予約キー３３が表示される。
【００２５】
従って、録画予約キー３３をクリック或は指示すれば、映像記録装置１には図３に示す様に時間１８：００−１９：００の間の「シネマスペシャル」を記録媒体２に自動的に録画することになる。
【００２６】
上述の電子番組情報３０が表示されるＴＶ受信機８に用いるＣＲＴ等の表示装置９は一般のパーソナルコンピュータ用の表示装置に比べて、解像度が低いために電子番組情報３０を表示装置９の画面３１に表示させる場合に制限を生ずるため、所定時間内に表示しなければないない複数の番組タイトルがある場合には番組タイトルの文字数によっては、図５（Ｃ）で説明した様に番組タイトルの下桁の文字を削除して表示しなければならなくなる。特に時間をベースに番組タイトルの表示幅を定める図５（Ａ）の場合では時間が短く、番組タイトルの文字数が多い場合には番組タイトルの意味が解らなくなる場合が生ずる。
【００２７】
この様な弊害を無くすために、本発明では番組タイトル等の電子番組情報を文字数をベースに表示幅を定めて、自動的に表示装置９の画面３１に表示させる様にした映像記録装置及びサーバー並びに番組情報伝送方式と番組情報表示方法を得るようにしたもので、このような実施形態を図２及び図４によって説明する。図２は所定の文字幅内に番組タイトルを挿入する手順を説明するための一般的なフローチャート、図４は図２と同様の手順を説明するための具体的な説明図である。
【００２８】
まず、図２によって、表示装置９の画面３１上に例えばＡ放送局の時間１８：００−１９：００間に複数の番組タイトルを生成表示する場合を詳記する。
【００２９】
図２及び図４に示すフローチャートの処理は映像記録装置１内のＣＰＵ３又はこの映像記録装置１に外付けされたパーソナルコンピュータ又はサーバーシステム１１内のＣＰＵ１２内で処理されて、ある時間帯内に複数の番組が放映される場合、限られた画面３１の画面幅の中で各番組タイトルの表示幅を下記のフローチャートに基づいて動的に変化させる。
【００３０】
今、ＣＰＵ内で処理する符号を下記の様に定義する。
Ｇ＝電子番組表における番組名表示領域の全文字数
Ｎ＝一定時間帯内の放映番組数
Ｃ（ｎ）＝ｎ番目の番組名の文字数
Ｔ＝番組間の区切り文字の表示文字数と想定し、
Ａ（ｎ）＝ｎ番目の番組の割り当て表示文字数（計算結果）とする。
【００３１】
第１ステップＳＴ１では一定時間帯内の放映番組数ＮがＮ＝１か否か判断する。Ｎ＝１であれば第２ステップＳＴ２に進んでｎ番目の番組名の文字数であるＧ文字全文を図３（Ａ）のＢ放送局の画面幅内に「シネマスペシャル  ワールドアドベンチャーパート２」の様に表示する。
【００３２】
第２ステップＳＴ２では一定時間帯内の放映番組数ＮがＮ≧２か否かを判断する。
【００３３】
Ｎ≧２であるＹＥＳでは第４ステップＳＴ４に進んで各番組に割り当てられる表示幅の概算値Ｘ（ｎ）を下記（１）式に基づいて算出する。
Ｘ（ｎ）＝（Ｇ−（Ｎ−１）×Ｔ）／Ｎ・・・（１）
（１）式によって概算値Ｘ（ｎ）に余りが出た場合は最初の番組から順に１文字ずつ割り振る様にする。
【００３４】
次の第５ステップＳＴ５では割り当てられた幅の概算値Ｘ（ｎ）に各番組の番組名を入れていく。今、概算値Ｘ（ｎ）からｎ番目の番組名の文字数Ｃ（ｎ）を引いた値をＹ（ｎ）と置くと、下記（２）式が与えられる。
Ｙ（ｎ）＝Ｘ（ｎ）−Ｃ（ｎ）・・・（２）
【００３５】
この（２）式のＹ（ｎ）値に応じて、第６乃至第８ステップＳＴ６〜ＳＴ８のケースが生ずる。
【００３６】
第６ステップＳＴ６は下記（３）式の場合であり、
Ｙ（ｎ）＞０・・・（３）
この場合は番組名が全て表示出来て第９ステップＳＴ９に示す様に余りＺ＝（ｎ）が生ずる。従って、第９ステップＳＴ９の場合はｎ番目の番組の割り当て表示文字数Ａ（ｎ）の計算結果はＡ（ｎ）＝Ｃ（ｎ）で余りＺ（ｎ）を生ずる。
【００３７】
第７ステップＳＴ７は下記（４）式の場合であり、
Ｙ（ｎ）＝０・・・（４）
この場合は番組名が第１０ステップＳＴ１０に示す様に全てが表示できて余りを生じない場合でｎ番目の番組の割り当て表示文字数Ａ（ｎ）の計算結果はＡ（ｎ）＝Ｃ（ｎ）となり余りがない場合となり、エンドに至る。
【００３８】
第８ステップＳＴ８は下記（５）式の場合であり、
Ｙ（ｎ）＜０・・・（５）
この場合は番組名が第１１ステップＳＴ１１に示す様に全てが表示できなかった場合で概算値Ｘ（ｎ）と余剰文字α（ｎ）を生ずるためＡ（ｎ）＝Ｘ（ｎ）＋α（ｎ）となる。
【００３９】
第９ステップＳＴ９で余りＺ（ｎ）が生じたか否かを第１２ステップＳＴ１２で判断し、Ｓｕｍ（Ｚ（ｎ））≦０の場合は、第１３ステップＳＴ１３の様にα（ｎ）＝０、よってＡ（ｎ）＝Ｘ（ｎ）となる。
【００４０】
第９ステップＳＴ９で余りＺ（ｎ）が生じて第１４ステップＳＴ１４の様にＳｕｍ（Ｚ（ｎ））＞０となった場合は第１５ステップＳＴ１５に進めて、第１４ステップＳＴ１４で生じた余りＺ（ｎ）を足りないところに均等に割り当てることでα（ｎ）＝Ｓｕｍ（Ｚ（ｎ））／（５）式の番組数となる。（ここで余りが発生した場合はｎが小さい番組から順に割り当てる。）従って、ｎ番目の番組の割り当て表示文字数Ａ（ｎ）は下記（６）式で与えられる。
Ａ（ｎ）＝Ｘ（ｎ）＋Ｓｕｍ（Ｚ（ｎ））／（５）式の番組数・・・（６）
この様に第１５ステップＳＴ１５の終了後にエンドに至る。
【００４１】
尚、以上のプロセスを終えても表示領域が余った場合は、その余りを各番組に均等に割り当てていく、余りが出た場合は最初の番組から１文字ずつ割り振る様にすることが出来る。
【００４２】
上述の一般式を図４を用いて具体的に説明する。
【００４３】
図４（Ａ）〜（Ｄ）に於いて前記したＧ．Ｎ．Ｃ．Ｔの値を夫々下記の如く定める。
Ｇ（電子番組表における番組名表示領域の全文字数）：２０
Ｎ（１時間内の放映時間数）：３
Ｃ（番組名の文字数）：番組１＝１３、番組２＝６、番組３＝３
Ｔ（番組間の区切り文字の表示文字数）：１
とする。
【００４４】
先ず、図４（Ａ）では図２の第４ステップＳＴ４の様に各番組に割り当てられる幅を算出する。
Ｘ（ｎ）＝（Ｇ−（Ｎ−１）×Ｔ）／Ｎ＝（２０−（３−１）×１）／３＝６
と成り、第１乃至第３の番組に対して概算値Ｘ（ｎ）＝６文字を割り振ることになる。尚、図４（Ａ）ではＴ＝１としている。
【００４５】
次に、図４（Ｂ）では図２の第５ステップＳＴ５の様に割り当てられた概算値Ｘ（ｎ）＝６の表示幅に対して、第１の番組４１の文字数＝１３、第２の番組４２の文字数＝６、第３の番組４３の文字数＝３を入れて行く。
【００４６】
第１の番組４１ではＹ（ｎ）−Ｘ（ｎ）−Ｃ（ｎ）はＹ（ｎ）＝６−１３＝−７で不足し、Ｙ（ｎ）＜０となり、第８ステップＳＴ８のケースとなる。
【００４７】
第２の番組４２ではＹ（ｎ）＝Ｘ（ｎ）−Ｃ（ｎ）はＹ（ｎ）＝６−６＝０でＹ（ｎ）＝０となり、第７ステップＳＴ７のケースとなる。
【００４８】
第３の番組４３ではＹ（ｎ）＝Ｘ（ｎ）−Ｃ（ｎ）はＹ（ｎ）＝６−３＝３で、余りＺ（ｎ）＝３となり第６ステップＳＴ６のケースとなる。
【００４９】
図４（Ｃ）では第３の番組４３で余った文字数４４を、不足している第１の番組４１側へ加算する。
【００５０】
従って、最終的には図４（Ｄ）に示す様に第１の番組４１の文字数は９文字、第２の番組４２の文字数は６文字、第３の番組４３の文字数は３文字と成る。
【００５１】
上述の構成では第１の番組４１では番組タイトルが１３−９＝４文字分だけ表示することが出来なくなるが、短い語彙に比べて長い語彙の方が内容を理解することが出来るため余剰の文字数分を長い番組タイトル側に移動させることの意味は大きい。
【００５２】
上述の場合は予め割り当て幅内に収まって余った文字数を割り当て幅内に収まらない文字数側に加算して文字数幅を番組データの文字数に応じて動的に変動させた場合を説明したが例えば、番組名表示領域の全文字数から所要の区切り文字幅分を除いた後に全文字数内に複数の番組の文字数の割合に応じて分割して表示する様にすることも出来る。
【００５３】
【発明の効果】
本発明によれば各放送番組の内容を表す番組タイトル等の番組情報を最大限表示可能となり、ユーザにとって番組一覧表画面にて各番組がどのようなものであるかを一見して認識可能な番組が多くなって、利用者が探したい番組を素早く見つけることができて簡単に録画可能な映像記録装置及びサーバー並びに番組情報伝送方式と番組情報表示方法が得られる。
【図面の簡単な説明】
【図１】本発明の１形態例を示す系統図である。
【図２】本発明の１形態例を示すフローチャートである。
【図３】本発明の電子番組表の例を示す説明図である。
【図４】本発明の文字の振り分け方法を具体的に説明するための説明図である。
【図５】従来の電子番組表の表示方法の説明図である。
【符号の説明】
１‥‥映像記録装置、２‥‥記録媒体、４‥‥入力手段（Ｉ／Ｆ）、９‥‥表示装置、１０‥‥インターネット、１１‥‥サーバーシステム、３，１２‥‥ＣＰＵ、１５，１６，１７‥‥番組情報提供者、３０‥‥電子番組情報、３１画面、３３‥‥録画予約キー、４４‥‥余った文字数
【図１】
2004266374.tif 000003
【図２】
2004266374.tif 000004
【図３】
2004266374.tif 000005
【図４】
2004266374.tif 000006
【図５】
2004266374.tif 000007